(57)【要約】  【課題】  使用水量が少なく経済的で、ランニングコストが安く、しかも水の再生を装置の運転を停止させることなく連続的に行なうことができる空気浄化方法及びその装置を提案する。  【解決手段】    空気流通系Ｙを流れる空気Ａに含まれたガス成分を水循環系Ｘを循環する水Ｗに溶解させて除去する空気浄化方法において、ガス成分が溶解された上記水Ｗを逆浸透膜６ａに通して該水Ｗからガス成分を除去することで該水Ｗを再生させるように構成する。係る構成によれば、上記逆浸透膜６ａでの水Ｗの再生を、空気浄化運転を継続させたまま連続的に行なうことができ、連続的な空気浄化の実現によって空調環境の快適性が向上する。  また、上記逆浸透膜６ａでは、ガス溶解水のうち、高濃度のものだけを系外に排出するものであることから、水循環系Ｘに対する純水の補給量が少なくて済み、それだけ空気浄化に伴うランニングコストを低く抑えることができ経済的である。【選択図】        図１
2005313057.tif 000002
【特許請求の範囲】
【請求項１】
空気流通系（Ｙ）を流れる空気（Ａ）に含まれたガス成分を水循環系（Ｘ）を循環する水（Ｗ）に溶解させて除去する空気浄化方法であって、
ガス成分が溶解された上記水（Ｗ）を逆浸透膜（６ａ）に通して該水（Ｗ）からガス成分を除去することで該水（Ｗ）を再生させることを特徴とする空気浄化方法。
【請求項２】
請求項１において、
上記水循環系（Ｘ）を循環する水（Ｗ）の全量を上記逆浸透膜（６ａ）に通すことを特徴とする空気浄化方法。
【請求項３】
請求項１において、
上記水循環系（Ｘ）を循環する水（Ｗ）の一部を上記逆浸透膜（６ａ）に通し、他の一部は上記逆浸透膜（６ａ）に通さずに上記水循環系（Ｘ）へ還流させることを特徴とする空気浄化方法。
【請求項４】
請求項３において、
上記水循環系（Ｘ）を循環する水（Ｗ）の全循環量と、該全循環量のうち上記逆浸透膜（６）に通される循環量とを独立に設定することを特徴とする空気浄化方法。
【請求項５】
空気流通系（Ｙ）を流れる空気（Ａ）に含まれたガス成分を水循環系（Ｘ）を循環する水（Ｗ）に溶解させて除去するガス除去エレメント（１）を備えた空気浄化装置であって、
逆浸透膜（６ａ）を備え且つ該逆浸透膜（６ａ）にガス成分が溶解された上記水（Ｗ）を通して該水（Ｗ）からガス成分を除去する逆浸透膜手段（６）を備えたことを特徴とする空気浄化装置。
【請求項６】
請求項５において、
上記水循環系（Ｘ）を循環する水（Ｗ）の全量を上記逆浸透膜手段（６）に通すようにして上記ガス除去エレメント（１）の水出口（１ｂ）と上記逆浸透膜手段（６）が接続されていることを特徴とする空気浄化装置。
【請求項７】
請求項５において、
上記水循環系（Ｘ）に、上記逆浸透膜手段（６）をバイパスするバイパス路（２ｃ）が設けられていることを特徴とする空気浄化装置。
【請求項８】
請求項７において、
上記水循環系（Ｘ）を循環する水（Ｗ）の全循環量を設定する第１の循環量設定手段（１４）と、該全循環量のうち上記逆浸透膜手段（６）に通される循環量を設定する第２の設定手段（１２）を備えたことを特徴とする空気浄化装置。
【発明の詳細な説明】
【技術分野】
【０００１】
本願発明は、多孔質膜を用いて空気中の有害ガス成分を水に溶解させて除去することで空気浄化を行なう空気浄化方法及びその装置に関するものである。
【背景技術】
【０００２】
従来から、多孔質膜を用いて空気中の有害ガス成分を水に溶解させて除去することで空気浄化を行なう空気浄化方法は知られている（例えば、特許文献１参照）。
【０００３】
ところで、このような空気浄化方法においては、浄化作用の進行とともに、水におけるガス成分の濃度が上昇し、ガス成分の溶解能力が次第に低下してくるため、空気浄化性能の維持を図るためには、上記水のガス成分に対する溶解能力を回復させる手立てを講じることが必要となる。
【０００４】
係る場合の手法として、例えば、特許文献２に開示されるように、一定の運転時間毎に、ガス成分濃度が高くなったガス溶解水を、純水と交換するものとか、特許文献３に開示されるように、水循環系内にイオン交換樹脂を設置し、水に溶解して回収されている不純物イオンを上記イオン交換樹脂によって取り除いて水を再生し、これを再利用するもの、等が知られている。
【０００５】
【特許文献１】特開平６−３３９６１３号公報（段落「０００１」〜「０００３」、図３）
【０００６】
【特許文献２】特許３２２７３６７号公報（段落「００１７」、図１）
【特許文献３】特開平１１−２６７４２８号公報（段落「００２０」〜「００２５」、図１）。
【発明の開示】
【発明が解決しようとする課題】
【０００７】
ところが、特許文献２に開示される手法では、一定の運転時間毎に、ガス成分濃度が高くなったガス溶解水を純水と交換するものであることから、作業が煩雑でランニングコストが高くつき、しかも水交換時には装置の運転を一時休止する必要があり、さらに使用水量が多く不経済である、等の問題があった。
【０００８】
また、特許文献３に示されるものでは、イオン交換樹脂は吸着量の飽和によって定期的に交換あるいは再生が必要であり、ランニングコストが高くつくという問題があった。
【０００９】
そこで、本願発明は、使用水量が少なく経済的で、ランニングコストが安く、しかも水の再生を装置の運転を停止させることなく連続的に行なうことができる空気浄化方法及びその装置を提案することを目的としてなされたものである。
【課題を解決するための手段】
【００１０】
本願発明ではかかる課題を解決するための具体的手段として次のような構成を採用している。
【００１１】
本願の第１の発明では、空気流通系Ｙを流れる空気Ａに含まれたガス成分を水循環系Ｘを循環する水Ｗに溶解させて除去する空気浄化方法において、ガス成分が溶解された上記水Ｗを逆浸透膜６ａに通して該水Ｗからガス成分を除去することで該水Ｗを再生させることを特徴としている。
【００１２】
本願の第２の発明では、上記第１の発明に係る空気浄化方法において、上記水循環系Ｘを循環する水Ｗの全量を上記逆浸透膜６ａに通すことを特徴としている。
【００１３】
本願の第３の発明では、上記第１の発明に係る空気浄化方法において、上記水循環系Ｘを循環する水Ｗの一部を上記逆浸透膜６ａに通し、他の一部は上記逆浸透膜６ａに通さずに上記水循環系Ｘへ還流させることを特徴としている。
【００１４】
本願の第４の発明では、上記第３の発明に係る空気浄化方法において、上記水循環系Ｘを循環する水Ｗの全循環量と、該全循環量のうち上記逆浸透膜６ａに通される循環量とを独立に設定することを特徴としている。
【００１５】
本願の第５の発明では、空気流通系Ｙを流れる空気Ａに含まれたガス成分を水循環系Ｘを循環する水Ｗに溶解させて除去するガス除去エレメントを備えた空気浄化装置において、逆浸透膜６ａを備え且つ該逆浸透膜６ａにガス成分が溶解された上記水Ｗを通して該水Ｗからガス成分を除去する逆浸透膜手段６を備えたことを特徴としている。
【００１６】
本願の第６の発明では、上記第５の発明に係る空気浄化装置において、上記水循環系Ｘを循環する水Ｗの全量を上記逆浸透膜手段６に通すようにして上記ガス除去エレメント１の水出口１ｂと上記逆浸透膜手段６を接続したことを特徴としている。
【００１７】
本願の第７の発明では、上記第５の発明に係る空気浄化装置において、上記水循環系Ｘに、上記逆浸透膜手段６をバイパスするバイパス路２ｃを設けたことを特徴としている。
【００１８】
本願の第８の発明では、上記第７の発明に係る空気浄化装置において、上記水循環系Ｘを循環する水Ｗの全循環量を設定する第１の循環量設定手段１４と、該全循環量のうち上記逆浸透膜手段６に通される循環量を設定する第２の設定手段１２を備えたことを特徴としている。
【発明の効果】
【００１９】
本願発明では次のような効果が得られる。
【００２０】
（ａ）本願の第１の発明に係る空気浄化方法によれば、空気流通系Ｙを流れる空気Ａに含まれたガス成分を水循環系Ｘを循環する水Ｗに溶解させて除去する空気浄化方法において、ガス成分が溶解された上記水Ｗを逆浸透膜６ａに通して該水Ｗからガス成分を除去することで該水Ｗを再生させるようにしているので、上記逆浸透膜６ａでの水Ｗからガス成分を除去することによる水Ｗの再生を、空気浄化運転を継続させたまま連続的に行なうことができ、例えば、水Ｗの再生時には空気浄化運転を停止させる必要があるような場合に比して、連続的な空気浄化が可能となる分だけ、空調環境の快適性が向上することになる。
【００２１】
また、上記逆浸透膜６ａでは、ガス溶解水のうち、高濃度のものだけを系外に排出するものであることから、例えば、水Ｗの再生を水Ｗの交換によって行なう場合に比して、水循環系Ｘに対する純水の補給量が少なくて済み、それだけ空気浄化に伴うランニングコストを低く抑えることができ経済的である。
【００２２】
尚、上記逆浸透膜は、周知のように、逆浸透膜作用を為す膜であって、ここで逆浸透膜作用とは、逆浸透膜を挟んでその両側に濃度差のある水が存在する場合に、高濃度側の水を加圧することで、高濃度側の水が逆浸透膜を通って低濃度側へ移動して濃縮される作用であり、例えば、海水の淡水化処理等で使用される。本願発明では、この逆浸透膜作用を利用して、ガス除去エレメント１において空気中のガス成分を溶解したガス溶解水をさらに濃縮してこれを水循環系Ｘ外に排出させることで、循環水の再生（濃度低減）を行なうものである。
【００２３】
（ｂ）本願の第２の発明に係る空気浄化方法によれば、上記（ａ）に記載の効果に加えて、次のような特有の効果が得られる。即ち、この発明では、上記水循環系Ｘを循環する水Ｗの全量を上記逆浸透膜６ａに通すようにしているので、該逆浸透膜６ａにおける溶解ガス成分の除去量が多く、従って、特に、ガス成分濃度が高い空気の浄化を行なう場合において、高い空気浄化性能を実現することができる。
【００２４】
（ｃ）本願の第３の発明によれば、上記（ａ）に記載の効果に加えて、次のような特有の効果が得られる。即ち、この発明では、上記水循環系Ｘを循環する水Ｗの一部を上記逆浸透膜６ａに通し、他の一部は上記逆浸透膜６ａに通さずに上記水循環系Ｘへ還流させるようにしているので、特に、ガス成分濃度がさほど高くない空気の浄化を行なう場合において、及び逆浸透膜６ａの交換間隔を長くしてランニングコストを低く抑える場合において好適な方法であり、高い空気浄化性能と低コスト化の両立が可能となるものである。
【００２５】
（ｄ）本願の第４の発明によれば、上記（ａ）に記載の効果に加えて、次のような特有の効果が得られる。即ち、この発明では、上記水循環系Ｘを循環する水Ｗの全循環量と、該全循環量のうち上記逆浸透膜６ａに通される循環量とを独立に設定するようにしているので、例えば、上記水循環系Ｘを循環する水Ｗの全循環量は、これを浄化対象である空気に含まれている有害なガス成分の濃度に適した循環量に設定し、また上記逆浸透膜６ａに通される循環量は、これを上記逆浸透膜６ａによる除去対象である上記水Ｗに溶解しているガス成分濃度に適した循環量に設定することで、無駄の無い経済的な空気浄化作用を得ることができる。
【００２６】
（ｅ）本願の第５の発明によれば、空気流通系Ｙを流れる空気Ａに含まれたガス成分を水循環系Ｘを循環する水Ｗに溶解させて除去するガス除去エレメント１を備えた空気浄化装置において、逆浸透膜６ａを備え且つ該逆浸透膜６ａにガス成分が溶解された上記水Ｗを通して該水Ｗからガス成分を除去する逆浸透膜手段６を備えているので、上記逆浸透膜手段６での水Ｗからガス成分を除去することによる水Ｗの再生を、上記ガス除去エレメント１における空気浄化運転を継続させたまま連続的に行なうことができ、例えば、水Ｗの再生時には上記ガス除去エレメント１の空気浄化運転を停止させる必要があるような場合に比して、連続的な空気浄化が可能となる分だけ、空調環境の快適性が向上することになる。
【００２７】
また、上記逆浸透膜手段６では、ガス溶解水のうち、高濃度のものだけを系外に排出するものであることから、例えば、水Ｗの再生を水Ｗの交換によって行なう場合に比して、水循環系Ｘに対する純水の補給量が少なくて済み、それだけ空気浄化に伴うランニングコストの低い経済的な空気浄化装置を提供できる。
【００２８】
（ｆ）本願の第６の発明によれば、上記（ｅ）に記載の効果に加えて、次のような特有の効果が得られる。即ち、この発明では、上記水循環系Ｘを循環する水Ｗの全量を上記逆浸透膜手段６に通すようにして上記ガス除去エレメント１の水出口１ｂと上記逆浸透膜手段６を接続しているので、該逆浸透膜手段６における溶解ガス成分の除去量が多く、従って、特に、ガス成分濃度が高い空気の浄化を行なう場合において、高い空気浄化性能を実現することができる。
【００２９】
（ｇ）本願の第７の発明によれば、上記（ｅ）に記載の効果に加えて、次のような特有の効果が得られる。即ち、この発明では、上記水循環系Ｘに、上記逆浸透膜手段６をバイパスするバイパス路２ｃを設けているので、特に、ガス成分濃度がさほど高くない空気の浄化を行なう場合において、及び上記逆浸透膜手段６の逆浸透膜６ａの交換間隔を長くしてランニングコストを低く抑える場合において好適であり、高い空気浄化性能と低コスト化の両立が可能な空気浄化装置を提供できる。
【００３０】
（ｈ）本願の第８の発明によれば、上記（ｇ）に記載の効果に加えて、次のような特有の効果が得られる。即ち、この発明では、上記水循環系Ｘを循環する水Ｗの全循環量を設定する第１の循環量設定手段１４と、該全循環量のうち上記逆浸透膜手段６に通される循環量を設定する第２の設定手段１２を備えているので、例えば、上記水循環系Ｘを循環する水Ｗの全循環量は、これを上記第１の循環量設定手段１４により浄化対象である空気に含まれている有害なガス成分の濃度に適した循環量に設定し、また上記逆浸透膜手段６に通される循環量は、これを上記第２の設定手段１２により上記逆浸透膜６ａによる除去対象である上記水Ｗに溶解しているガス成分濃度に適した循環量に設定することで、無駄の無い経済的な空気浄化作用を実現可能な空気浄化装置を得ることができる。
【発明を実施するための最良の形態】
【００３１】
以下、本願発明を好適な実施形態に基づいて具体的に説明する。
【００３２】
Ｉ：第１の実施形態
図１には、本願発明の第１の実施形態に係る空気浄化方法の実施に供される空気浄化装置の要部を示している。この空気浄化装置は、気体の通過を許容するが液体の通過を阻止する性状をもつ多孔質膜１５をもつガス除去エレメント１を備えて構成される。このガス除去エレメント１には、空気流通系Ｙと水循環系Ｘがそれぞれ接続されており、上記多孔質膜１５の一方側に、上記空気流通系Ｙを流れる浄化対象である空気（空気調和システムに適用された場合には、室内空気）を流し、該多孔質膜１５の他方側には上記水循環系Ｘを循環する水Ｗを流し、上記空気に含まれているガス成分を上記多孔質膜１５を通して上記水Ｗに溶解させ、これによって上記空気の清浄化を図るものである。
【００３３】
しかし、上記水Ｗのガス成分溶解能力は、ガス成分濃度の上昇と共に低下するものであり、従って、空気浄化能力の維持を図る上においては上記水Ｗの再生（即ち、ガス成分濃度の低下）が必須であり、このような水Ｗの再生を、上記ガス除去エレメント１の運転を継続させたまま、しかも簡易且つ低コストで行なうことを可能とするため、この実施形態においては、上記水循環系Ｘ側に以下に述べるような新規且つ特有の構成を採用している。以下、これを具体的に説明する。
【００３４】
上記水循環系Ｘは、増圧及び循環用のポンプ５の吐出側と上記ガス除去エレメント１の水入口１ａを接続する往路２ａと、上記ガス除去エレメント１の水出口１ｂと上記ポンプ５の吸入側を接続する復路２ｂとで構成される水循環路２を備えている。
【００３５】
上記往路２ａには、逆浸透膜６ａを備えた逆浸透膜手段６と、減圧及び流量調整用のバルブ７及び流量計８が上流側から下流側に向かって順次設けられている。また、上記逆浸透膜手段６には、バルブ１０を備えた濃縮液排出路１１が接続されている。さらに、上記往路２ａの上記流量計８と上記ガス除去エレメント１の水入口１ａの中間位置には、バルブ９を備えた純水供給路３が接続されている。
【００３６】
一方、上記復路２ｂには、水Ｗに混入している異物を除去するためのフィルター４が設けられている。
【００３７】
この空気浄化装置においては、上記ポンプ５によって上記水循環路２内を循環する水Ｗが上記ガス除去エレメント１内を流通する際、上記多孔質膜１５を隔てて流れる空気Ａに含まれていた有害なガス成分が上記多孔質膜１５を通って上記水Ｗに溶解し、これによって上記空気Ａの清浄化が図られる。
【００３８】
一方、上記水Ｗは、上記ガス除去エレメント１での溶解によって次第にガス成分濃度を上げながら上記水循環路２内を循環することになるが、この実施形態のものにおいては、上記水循環路２内を循環する上記水Ｗの全量が上記ポンプ５で加圧された状態で順次上記逆浸透膜手段６の逆浸透膜６ａを通過するように構成されているので、該水Ｗは、該逆浸透膜６ａにおいて逆浸透圧作用を受けて、ガス成分濃度の高いガス濃縮水Ｗ１は上記濃縮液排出路１１を通って系外へ排出され、ガス成分濃度の低い純水に近い水Ｗのみが水循環路２側に循環される（即ち、上記水Ｗの再生作用である）。
【００３９】
従って、上記ガス除去エレメント１内を流れる水Ｗは常にガス成分濃度が所定値以下の水、即ち、再生されてガス成分溶解能力を十分にもった水とされ、この結果、上記ガス除去エレメント１における空気浄化性能が常時高水準に維持され、延いては、上記空気Ａを室内吹出空気として用いる空調環境が良好に維持されるものである。
【００４０】
また、この場合、上記逆浸透膜手段６におけるガス濃縮水Ｗ１の排出作用は、上記ガス除去エレメント１側の運転状態のままで何ら支障無く行なえることから、従来のように水Ｗの再生時にガス除去エレメント１の運転を停止させる必要がある場合に比して、空調環境の維持効果がより一層確実となるものである。
【００４１】
また、この実施形態の空気浄化装置では、上記水循環路２を循環する水Ｗの全量が上記逆浸透膜手段６に通される構成であることから、該逆浸透膜手段６におけるガス濃縮水Ｗ１の排出作用が高く、従って、特に空気Ａにおけるガス成分濃度が高いような条件下で用いられる空気浄化装置として好適である。
【００４２】
なお、上記逆浸透膜手段６でのガス濃縮水Ｗ１の排出に伴って水循環路２内の循環水量が減少するが、この循環水量の減少は上記純水供給路３から適宜純水Ｗ０を補給することで補填され、上記ガス除去エレメント１でのガス成分溶解作用、即ち、空気浄化作用が常時良好に維持される。この場合、純水の補給量は、上記逆浸透膜手段６での排出量に相当する量であれば良く、例えば、従来のように、水Ｗの再生を、該水Ｗの交換によって実現する構成のものに比して、極めて少量で良く、純水の使用量が少ない分だけ経済的であり、ランニングコストの低下が促進されるものである。
【００４３】
ＩＩ：第２の実施形態
図２には、本願発明の第２の実施形態に係る空気浄化方法の実施に供される空気浄化装置における水循環系Ｘを示している。
【００４４】
上記水循環系Ｘは、循環用のポンプ５Ａの吐出側と上記ガス除去エレメント１の水入口１ａを接続する往路２ａと、上記ガス除去エレメント１の水出口１ｂと上記ポンプ５Ａの吸入側を接続する復路２ｂと、上記ガス除去エレメント１を迂回するように上記往路２ａと復路２ｂを接続する分岐路２ｃとで構成される水循環路２を備えている。
【００４５】
上記往路２ａには、流量調整用の流量調整バルブ１４と流量計８が上流側から下流側に向かって順次設けられている。
【００４６】
上記復路２ｂには、水Ｗに混入している異物を除去するためのフィルター４が設けられている。また、上記復路２ｂの上記ポンプ５Ａの上流側には純水供給用のバルブ９を備えた純水供給路３が接続されている。
【００４７】
上記復路２ｂの上記フィルター４の下流側と往路２ａの上記流量計８とガス除去エレメント１の水入口１ａの中間位置を接続する上記分岐路２ｃには、閉止用のバルブ１２と増圧用のポンプ５Ｂと、逆浸透膜６ａを備えた逆浸透膜手段６と、減圧用のバルブ１３が、上流側から下流側に向かって順次設けられている。また、上記逆浸透膜手段６には、濃縮液排出用のバルブ１０を備えた濃縮液排出路１１が接続されている。
【００４８】
尚、この実施形態では、上記バルブ１４が特許請求の範囲中の「第１の循環量設定手段」、上記バルブ１２が特許請求の範囲中の「第２の循環量設定手段」に、それぞれ該当する。
【００４９】
この空気浄化装置においては、上記ポンプ５Ａによって上記往路２ａから上記ガス除去エレメント１側に供給される水Ｗが上記ガス除去エレメント１内を流通する際に、上記多孔質膜１５を隔てて流れる空気Ａに含まれていた有害なガス成分が上記多孔質膜１５を通って上記水Ｗに溶解し、これによって上記空気Ａの清浄化が図られる。
【００５０】
一方、上記水Ｗは、上記ガス除去エレメント１での溶解によって次第にガス成分濃度を上げながら上記水循環路２内を循環することになるが、この実施形態のものにおいては、上記水循環路２内を循環する上記水Ｗの一部は上記復路２ｂを通って往路２ａ側に還流されるが、他の一部は、上記分岐路２ｃ側へ流れ、ここで上記ポンプ５Ｂによって増圧された後、上記逆浸透膜手段６の逆浸透膜６ａを通過するようになっている。従って、上記逆浸透膜手段６側を通過する水Ｗは、上記逆浸透膜６ａにおいて逆浸透圧作用を受け、ガス成分濃度の高いガス濃縮水Ｗ１は上記濃縮液排出路１１を通って系外へ排出され、ガス成分濃度の低い純水に近い水Ｗのみが往路２ａ側へ還流され、上記ポンプ５Ａからの水Ｗと合流して上記ガス除去エレメント１側に流される（即ち、上記水Ｗの再生作用である）。
【００５１】
この結果、上記ガス除去エレメント１内を流れる水Ｗは、常にその一部が上記逆浸透膜手段６において溶解ガス成分が除去された（即ち、再生された）水Ｗであることから、上記ガス除去エレメント１における空気浄化性能が常時高水準に維持され、延いては、上記空気Ａを室内吹出空気として用いる空調環境が良好に維持されるものである。
【００５２】
また、上記水循環路２を循環する水Ｗの一部を上記逆浸透膜手段６に通して再生させる構成であることから、該逆浸透膜手段６におけるガス濃縮水Ｗ１の排出作用は比較的低く、従って、特に空気Ａにおけるガス成分濃度が比較的低いような条件下で用いられる空気浄化装置として好適といえる。
【００５３】
さらに、この空気浄化装置においては、上記逆浸透膜手段６におけるガス濃縮水Ｗ１の排出作用は、上記ガス除去エレメント１側の運転状態のままで何ら支障無く行なえることから、従来のように水Ｗの再生時にガス除去エレメント１の運転を停止させる必要がある場合に比して、空調環境の維持効果がより一層確実となるものである。
【００５４】
また、上記水循環路２を循環する水Ｗの全量が上記逆浸透膜手段６に通される構成であることから、該逆浸透膜手段６におけるガス濃縮水Ｗ１の排出作用が高く、従って、特に空気Ａにおけるガス成分濃度が高いような条件下で用いられる空気浄化装置として好適である。
【００５５】
なお、上記逆浸透膜手段６でのガス濃縮水Ｗ１の排出に伴って水循環路２内の循環水量が減少するが、この循環水量の減少は上記純水供給路３から適宜純水を補給することで補填され、上記ガス除去エレメント１でのガス成分溶解作用、即ち、空気浄化作用が常時良好に維持される。この場合、純水の補給量は、加湿による上記ガス除去エレメント１からの蒸発に対する補給量以外に、上記逆浸透膜手段６での排出量に相当する量であれば良く、例えば、従来のように、水Ｗの再生を、該水Ｗの交換によって実現する構成のものに比して、極めて少量で良く、純水の使用量が少ない分だけ経済的であり、ランニングコストの低下が促進されるものである。
【００５６】
さらに、この実施形態のものでは、上記復路２ｂ側の上記バルブ１４の調節によって上記ガス除去エレメント１側を循環する水Ｗの循環量を、また上記分岐路２ｃ側の上記ストップバルブ１２の調節によって上記逆浸透膜手段６側で再生される水Ｗの循環量を、それぞれ独立に設定し得ることから、例えば、上記ガス除去エレメント１側を循環する水Ｗの循環量は、これを上記バルブ１４により浄化対象である空気に含まれている有害なガス成分の濃度に適した循環量に設定し、また上記逆浸透膜手段６に通される循環量は、これを上記バルブ１２により上記逆浸透膜６ａによる除去対象である上記水Ｗに溶解しているガス成分濃度に適した循環量に設定することで、無駄の無い経済的な空気浄化作用を実現可能な空気浄化装置を得ることができる。
【図面の簡単な説明】
【００５７】
【図１】本願発明の第１の実施の形態に係る空気浄化装置のシステム図である。
【図２】本願発明の第２の実施の形態に係る空気浄化装置のシステム図である。
【符号の説明】
【００５８】
１      ・・ガス除去エレメント
２      ・・水循環路
３      ・・純水供給路
４      ・・フィルター
５      ・・ポンプ
５Ａ    ・・ポンプ
５Ｂ    ・・ポンプ
６      ・・逆浸透膜手段
７      ・・バルブ
８      ・・流量計
９      ・・バルブ
１０    ・・バルブ
１１    ・・濃縮液排出路
１２    ・・バルブ
１３    ・・バルブ
１４    ・・バルブ
１５    ・・多孔質膜
【図１】
2005313057.tif 000003
【図２】
2005313057.tif 000004